(57)【要約】【課題】混合水栓柱だけでなく、屋内から供給される湯の凍結も防止できる寒冷地用湯水混合散水栓装置を提供する。【解決手段】湯水の流入口と排出口、水の流入口下流の導水口を有する弁箱内を、地上部のハンドルに操作軸を介して連結された弁体が移動して開栓、排出両状態を選択するようにした混合水栓柱と、上記導水口および湯の流入口に配管で接続され、上記ハンドルの操作で混合水栓柱が排出状態になったときは、導水口からの水圧が無くなるため、自動的に混合水栓柱への湯の供給を停止し、上記湯配管と水配管内の湯水を上記排出口から排出する切換弁とにより構成されている。【選択図】図１
2005256426.tif 000002
【特許請求の範囲】
【請求項１】
地中、凍結深度以下に埋設され、湯水の流入口、排出口、水の流入口下流の導水口を有する弁箱内を、地上部のハンドルに操作軸を介して連結され、水の流入口の密封手段と湯水の排出手段を有する弁体が移動して開栓、排出両状態を選択するようにした混合水栓柱と、上記導水口に配管を介して接続される導水受口、給湯器からの湯の入湯口および上記湯の流入口に配管を介して接続される出湯口を有するボデー内に、ばねに押圧されて入湯口からの湯を遮断しうる湯弁体、及び導水受口に連通する大径密封手段を有し、上記湯弁体を開栓方向に押圧する圧力伝達体を収容して、両者間に、出湯口に連通する小径密封手段を形成するとともに、上記大小密封手段間に開口する空気孔をボデーに設けた切換弁とから構成される、寒冷地用湯水混合散水栓装置。
【発明の詳細な説明】
【技術分野】
【０００１】
本発明は、庭等に設置され、水と湯が使用できる混合水栓柱に関し、特に、混合水栓柱自体の凍結を防止するだけでなく、屋内から供給される湯の凍結をも防止するようにした
寒冷地用湯水混合散水栓装置に関するものである。
【背景技術】
【０００２】
最近、寒くなってきた時、あるいは汚れ落ちの良いことから、屋外での手洗いや洗車等の目的のため、水だけでなく湯も使用できる混合水栓柱が使用され始めてきた。
【０００３】
しかし、北海道、東北等の寒冷地においては、冬期間、水栓柱内の湯水が凍結して使用できない、あるいは管の破損事故につながり、多大な費用がかかるため、一般的にはほとんど普及していなかった。
【特許文献１】特開２００２−３４８９２０号公報
【発明の開示】
【発明が解決しようとする課題】
【０００４】
そのため、出願人は、寒冷地においても安心して使用できる寒冷地用混合水栓柱を提案した。
【特許文献２】特願２００３−３８４８７５
【０００５】
上述のものは、ハンドル操作により、混合水栓柱の湯水を地中に排出して空にし、凍結を防止しようとするものである。しかし、混合水栓柱に供給する湯水の内、水は地中凍結深度以下に埋設され、湯も道外のように戸外に給湯器が設置される場合は、同様に凍結深度以下に埋設されるので凍結の心配はないが、道内のように屋内に設置される場合の湯の凍結防止策については何ら触れられていない。
【０００６】
本発明は、混合水栓柱だけでなく、屋内から供給される湯の凍結をも防止するようにした、寒冷地用混合散水栓装置を提供することを目的とする。
【課題を解決するための手段】
【０００７】
湯水の流入口と排出口、水の流入口下流の導水口を有する弁箱内を、地上部のハンドルに操作軸を介して連結された弁体が移動して開栓、排出両状態を選択するようにした混合水栓柱と、上記導水口及び湯の流入口に配管で接続され、上記ハンドルの操作で混合水栓柱が排出状態になったときは、導水口からの水圧力が無くなるため、自動的に混合水栓柱への湯の供給を停止し、上記湯配管と水配管内の湯水を上記排出口から排出する切換弁とにより構成することを最も主要な特徴とする。
【発明の効果】
【０００８】
本発明により、混合水栓柱だけでなく、その上流側の湯配管の凍結も、混合水栓柱のハンドルを操作するだけで確実に防止できる湯水混合散水栓装置を提供できるので、寒冷地における快適な暮らしの向上に大きく貢献できるものである。  
【発明を実施するための最良の形態】
【０００９】
本発明は、屋外に設置され、ハンドル操作により水抜きできる混合水栓柱と、屋内、給湯器以降の、凍結しない、あるいは少なくても上流側の湯抜きのできる箇所に設置され、混合水栓柱への湯の遮断、排湯を自動的に行う、吸気弁を使用せずに吸気できる構造の切換弁とを、湯配管と水配管で接続することを最良の形態とする。
【実施例１】
【００１０】
図１は本発明の混合水栓柱の１実施例を示す断面図であるが、１は地中、凍結深度以下に埋設された弁箱であり、２は下端側方に開口する水の流入口、３はその下流側に開口する導水口、４はその上方、紙面と直角方向に設ける湯の流入口、５はその中間部に紙面と直角方向に開口する湯と水の排出口である。６は水のバイパス路、７は湯のバイパス路である。なお、図示しないが、排出口５には、地中の汚水が弁箱１に入り込まないよう、逆止弁が取り付けられる。
【００１１】
内部には、上から順に同径の３個のシリンダ８，９，１０を、湯の流入口４の上方に８が、排出口５の下方に１０が、湯の流入口４と排出口５間に９が位置するよう形成し、その下方、水の流入口２と導水口３間に小径シリンダ１１を設け、上端に弁座１２を形成する。
【００１２】
弁箱１の内部には、弁体１３が収容され、弁体１３には、上記シリンダ８，９，１０を摺動する３個の環状パッキン１４，１５，１６を装着し、下端に、小径シリンダ１１を摺動する樹脂製の制水環１７および弁座１２に密着する平パッキン１８をビス１９により離脱しないよう装着する。なお、湯水の流入口４，２間に排出口５を配置しているので、開栓状態で環状パッキン１５，１６に事故があったような場合にも、水側に湯が混入する汚染や湯側に水が混入して圧力が上昇し、給湯器の事故を招く、等を効果的に防止することができる。  
【００１３】
弁体１３は中実のロッドからなる操作軸２０により上方に延長され、軸継手２１，軸継手２１に管吊結合された操作桿２２を介して地上部上端のハンドル２３に連結されている。
【００１４】
弁箱１は、外観光沢を有する円形のステンレス薄肉管からなる化粧管２４により操作軸２０と同心状に地上部に延長され、化粧管２４は上端部に３個の横穴を穿ち、対応する位置に収容する分岐弁箱２５を、上記横穴から外方に突出する水の止め弁２６の弁蓋２７、湯の止め弁２６’の弁蓋２７’のパッキン２８，２８’を介して、さらに、図示しないが図の直角方向にもうけられた放出継手のパッキンを介して化粧管２４に固定するようにしている。また、放出継手には放出口が回転自在に接続されている。
【００１５】
水の止め弁２６は、弁蓋２７と分岐弁箱２５の水側弁座２９に密着する止めパッキン３０および止めハンドル３１を装着する止め弁体３２を有しており、それは湯の止め弁についても全く同様であり、弁蓋２７’、湯側弁座２９’に密着する止めパッキン３０’および止めハンドル３１’を装着する止め弁体３２’を有している。
【００１６】
分岐弁箱２５は、上端に操作桿２２の作動用雄ねじ３３が螺合する作動用金具３４をねじ接続しており、下端に、操作軸２０の左右対象位置に水のバイパス路６と湯のバイパス路７に連通する、銅管製の水の立上管３５と湯の立上管３５’を挿入している。図では立上管３５，３５’は単にＯリングシールをしているが、よりシール性を良くするために、ナットでパッキンを締め付けるようにしても良い。弁蓋２７，２７’、放出継手がねじ接続される上下の鍔部３６，３７には漏水防止用のＯリング３８，３９が装着され、両者間に全周に亘って湯水の混合部を形成する。
【００１７】
図２に本発明の切換弁４０の１実施例を示すが、左右に分かれ、対角同士を数本のビス（図示せず）により接続されたボデー４１は、左方下端に、図１の導水口２に配管を介して接続される導水受口４２を、右方下端に図１の湯の流入口４に配管を介して接続される出湯口４３を、その中間下端部に空気孔４４を設け、右方上端部に入湯口４５を穿っている。４６，４７はボデー４１に空気を取り入れるための吸気弁である。
【００１８】
ボデー４１内には、導水受口４２に連通するダイヤフラムからなる大径密封手段４８、止湯パッキン４９を装着し、ばね５０に押圧されてボデー４１内に形成された止湯弁座５１に密着しうる湯弁体５２，両者間に介在し、大径密封手段４８にかかる水圧力を湯弁体５２に伝達する、小径密封手段５３を有する圧力伝達体５４を収容している。５５は湯弁体５２のガイド、ばね５０の台座を兼ねる弁蓋である。なお、本実施例では、大径密封手段４８としてダイヤフラムを、小径密封手段５３としてＯリングを採用しているが、勿論それに拘るものではない。
【００１９】
図１，２は混合水栓柱および切換弁４０の開栓状態を示しており、水の流入口２からの水は、水のバイパス路６，水の立上管３５を通って水側弁座２９に達しており、さらに導水口３から配管を介して導水受口４２に達している。大径密封手段４８，小径密封手段５３の面積差に基づく圧力差により、圧力伝達体５４は右方に押圧され、湯弁体５２は止湯弁座５１を開放し、給湯器から供給された湯は、入湯口４５，出湯口４３から配管を通って湯の流入口４に流れ込み、湯のバイパス路７，湯の立上管３５’を通って湯側弁座２９’に達している。この状態から止めハンドル３１，３１’を回転させれば、湯水は混合部を通って放出口から放出される。
【００２０】
通常はこの状態で使用されているが、冬期間、水の凍結が心配なときには、ハンドル２３を回転させると、作動用雄ねじ３３により操作桿２２は作動用金具３４内を回転しながら下降し、同時に、操作桿２２に管吊連結された軸継手２１および軸継手２１に操作軸２０を介して接続された弁体１３は、分岐弁箱２５内および弁箱１内を回転することなく下降する。
【００２１】
最初に制水環１７が小径シリンダ１１に密着して水の流入口２を閉塞し、その後で環状パッキン１６がシリンダ１０から、環状パッキン１５もシリンダ９から離脱するが、同時に導水口３から導水受口４２を通って大径密封手段４８に作用する水圧力が無くなるので、湯の流れとばね５０の押圧力により湯弁体５２の止湯パッキン４９が止湯弁座５１に密着し、出湯口４３への湯の流れを遮断する。
【００２２】
そのため、導水受口４２から導水口３に至る配管内の水および出湯口４３から湯の流入口４に至る配管内の湯は、吸気弁４６，４７から吸気しながら排出口５から地中に排出しだし、さらに弁体１３が下降して平パッキン１８が弁座１２に密着して完全な排出状態となるが、その状態で止め弁２６，２６’を開放させれば、放出口から空気を吸い込みながら水の立上管３５，湯の立上管３５’内の湯水も排出口５から同時に地中に排出される。
【００２３】
そのため、混合水栓柱内、および混合水栓柱と切換弁４０を接続する配管内には湯水が残らず、北海道のような厳寒地においても、残留水が凍結して管路を閉塞し、水が出てこないとか、凍結して破損するというような事故は生じないことになる。なお、空気孔４４により、圧力伝達体５４の作動はスムーズに行われ、先端にホースを付属させて排水できるようにしておけば、大径密封手段４８等から万一漏水があった場合の事故防止手段となる。
【００２４】
切換弁４０は、樹脂ヘッダー配管をする場合は、天井裏、床下等、湯のヘッダーに隣接して設置するのが、入湯口４５上流側の湯の凍結防止、混合水栓柱を冬期間使用しない場合の停滞水の減少という面からは有利になる。また、切換弁４０から混合水栓柱に至る湯水の配管で、土壌に埋設していないなど、少なくとも凍結の可能性がある箇所については、適宜な勾配を設け、排出時、水残りがないようにしておく。
【実施例２】
【００２５】
図３に本発明切換弁４０の他の実施例を示すが、図２の吸気弁４６，４７を省略し、かわりにボデー４１に大径弁座５６，小径弁座５７を同一軸心上にもうけ、常時は大径密封手段４８により密封され、水抜き時は湯弁体５２が圧力伝達体５４を押圧し、空気孔４４から大径密封手段４８の小孔５８と、湯弁体５２の間隙を通って吸気できるようにしている。
【００２６】
入湯口４５を水平方向に形成し、Ｃ型リング５９を台座とする円錐形のばね５０により湯弁体５２を押圧するなど、図２のものに比して部品点数を少なく、全体的に小型化させている。その他の作動態様は図２のものと同様である。
【００２７】
混合水栓柱自体は、上述した特願２００３−３８４８７５号公報に類似例を示すように種々の設計変更が可能であるが、両者の相違点は、本実施例の弁箱１には、導水口３を有していること、湯の流入口４からの止湯手段を必要としないことであり、その他の弁構造、中間部構造、上部構造は兼用しても構わない。
【００２８】
本発明においては、切換弁４０から混合水栓柱までの湯配管とは別に、同じく水配管も必要になってくるが、同時並列配管できるので、それほど手間、費用がかかるわけでなく、
樹脂管にすれば一層コスト減を図れる。
【００２９】
混合水栓柱の弁体１３は、上下動して開栓、排出状態を選択するものを使用しているが、これは回転動のみのものを採用しても良く、最近、混合栓等で多く使用されているセラミック製弁体を使用することもでき、ハンドル回転角度が少なくて済むので、操作性が良くなる、という利点がある。これは、止め弁体３２，３２’についても同様である。
【産業上の利用可能性】
【００３０】
本発明は、住宅の庭だけでなく、公園等、不特定多数の人が使用する公共性の場に設置しても良く、工場内で洗浄用として使用することもでき、いずれにしても寒冷地の快適な生活向上に大きく貢献できるものである。
【図面の簡単な説明】
【００３１】
【図１】本発明の混合水栓柱の１実施例を示す、開栓状態における縦断面図である。（実施例１）
【図２】本発明の切換弁の１実施例を示す、開栓状態における縦断面図である。（実施例１）
【図３】本発明の切換弁の他の実施例を示す、開栓状態における縦断面図である。（実施例２）
【符号の説明】
【００３２】
１  弁箱
２  水の流入口
３  導水口
４  湯の流入口
５  排出口
１３  弁体
２０  操作軸
２３  ハンドル
４０  切換弁
４１  ボデー
４２  導水受口
４３  出湯口
４４  空気孔
４５  入湯口
４８  大径密封手段
５０  ばね
５２  湯弁体
５３  小径密封手段
５４  圧力伝達体
【図１】
2005256426.tif 000003
【図２】
2005256426.tif 000004
【図３】
2005256426.tif 000005